(57)【要約】【課題】  トレイの前壁に前板を取付けたスライドラックにおいて、キャビネットとの組付け調整がされるに当って、その取付けには微妙な微調整が往々に必要となり、この微調整のできる取付けは大型化し、揚句には、取付けがしにくく、且つ取扱い良いコンパクトなものにできなかった。【解決手段】  トレイの前壁と前板との間に、台座が設けられ、トレイの前壁と前板とが台座を介してネジによって取付けられ、該台座には、トレイの前壁に取付ける前板の左右方向取付調整をする左右調整カム、及びトレイの前壁に対する前板の上下方向取付調整をする上下調整カム、そして、トレイの前壁と接触している頭部のカム面によるトレイの前壁への押圧で前板の前後方向取付調整をする前後調整カムが具備されているスライドラックである。【選択図】図５
2011056229.tif 000002
【特許請求の範囲】
【請求項１】
キャビネット内のガイドレールに支えられたトレイと、該トレイの前壁に取付けられてキャビネットとの組付け調整をする前板とでなるスライドラックにあって、トレイの前壁と前板との間に台座が設けられ、トレイの前壁と前板とが、台座を介してネジによって取付けられ、該台座には、トレイの前壁に取付ける前板の左右方向取付調整をする左右調整カム、及びトレイの前壁に対する前板の上下方向取付調整をする上下調整カム、そして、トレイの前壁と接触している頭部のカム面によるトレイの前壁への押圧で、前板の前後方向取付調整をする前後調整カムが具備されていることを特徴とするスライドラック。
【請求項２】
トレイの前壁と前板とが、台座を介してネジによって取付けられ、該台座には、縦長穴を形成し、該縦長穴に軸支するトレイの前壁に対する前板の左右方向取付調整がされる左右調整カムを備え、且つ台座の横側壁面に軸支するトレイの前壁に対する前板の上下方向取付調整がされる上下調整カム、及びトレイの前壁に対する前板の前後方向取付調整がされる前後調整カムを設け、トレイの前壁には、前板へ台座を介してネジ止めするネジが挿通され、前板の取付調整でネジの位置への遊び余裕を有する遊穴が形成され、また、左右調整カムを嵌込み、その左右調整カムの偏心突起部の回転によって台座を左右方向取付調整させるカムハウジング付き穴が形成され、また、上下調整カムの回転によってその爪部によるトレイの前壁への係合で台座の上下方向取付調整をする横溝が形成され、前後調整カムの頭部のカム面と接触する接触面が形成されることを特徴とする請求項１記載のスライドラック。
【請求項３】
トレイの前壁と前板との間に、前板へ接合する台座を設け、トレイの前壁に形成された遊穴へネジを挿通し、台座と共に前板へネジ止めしてトレイの前壁と前板とが取付けられ、この台座の上端方のネジによる左右取付位置の中間には、縦長穴を形成し、この縦長穴に軸支するトレイの前壁に対する前板の左右方向取付調整をする左右調整カムが設けられ、台座の下端方には、トレイの前壁に対する前板の前後方向取付調整をする前後調整カムが軸支され、そして、これら中間部位置には、トレイの前壁に対する前板の上下方向取付調整をする上下調整カムが軸支し備えられていることを特徴とする請求項１乃至２のいずれか１項に記載のスライドラック。
【請求項４】
前板とトレイの前壁とが、前板の取付調整で遊び余裕を有するトレイの前壁の遊穴に、ワッシャーを介してネジを挿通し、台座を介して前板へネジ止めして仮接合され、トレイの前壁に形成されたカムハウジング付き穴には、台座の縦長穴に軸支した左右調整カムが嵌込まれ、偏心突起部を有する左右調整カムの回転で、その偏心突起部が台座を左右へ揺動して、トレイの前壁に対する前板の左右方向取付調整がされ、トレイの前壁に設けた横溝には、該横溝と係合する爪部を頭部に形成する上下調整カムが台座の横側壁面の中程位置に軸支され、該上下調整カムの回転によってその爪部による台座の揺動が、トレイの前壁に対する前板の上下方向取付調整をし、また、台座の横側壁面の下端方に前後調整カムが軸支され、該前後調整カムがその頭部のカム面をトレイの前壁へ接触させ、該前後調整カムの回転によるトレイの前壁への押圧でトレイの前壁に対する前板の前後方向取付調整がされ、これら取付調整の上で、ネジを再度締付けして取付が定着されることを特徴とする請求項１乃至３のいずれか１項に記載のスライドラック。
【発明の詳細な説明】
【技術分野】
【０００１】  本発明は、洗面化粧台などの引出し式キャビネットに収納されるスライドラックに関するものである。
【背景技術】
【０００２】  一般に、洗面化粧台などの引出し式キャビネットに収納されるスライドラックは、ボックス状及びバスケット状のトレイの前壁に前板が取付けられたものである。
そして、スライドラックは、キャビネット内に設けられたガイドレールに、トレイの両側壁が支えられ、スライド収納、及び引き出される。
この際、キャビネット内に設けられるガイドレールの取付寸法にバラツキがあり、トレイの前壁に取付けられた前板のキャビネットに対する位置にバラツキを生じ、そのバラツキ故に、商品化に欠けることにもなった。
そこで、前板が取付けられたトレイの両側壁を支えるガイドレールに設けられた取付穴、及びその調整機構により組付け調整をしていた。しかし、依然、キャビネットに対する前板の組付け調整には、極めて困難を来たし、手間暇を要した。
そこで、トレイの前壁に前板が取付けられたスライドラックをキャビネットに組付けるに当って、前板の取付位置にバラツキがあり、このバラツキを解消するためには、トレイの前壁に前板が取付けられる際に、キャビネットとの組付け調整がされる機能手段を備えることにある。【０００３】
【先行技術文献】
【特許文献】
【特許文献】  トレイは、その前壁を覆うように取付けられた前板を有し、該トレイの前壁には上下方向へ延びる軸部材が固定され、前板の背面には左右方向へ延びる長穴と、前記軸部材に対する嵌合凹部とを有する取付部材が固定され、該取付部材に対向して配置されてネジ止めする嵌合凹部を有した取付材が設けられる。取付材が取付部材の長穴を介して前板へネジ止めされることは、取付部材と取付材との相互の嵌合凹部で、軸部材が挟持されることになり、取付部材の長穴に挿通されたネジを緩めての左右方向への調整、軸部材の挟持を緩めての軸部材のスライドによる上下方向、及び水平面回り方向の調整が可能とされるものである。
【０００４】
【特許文献１】  特開２００８−１６７９５３
【発明の概要】
【発明が解決しようとする課題】
【０００５】  トレイの前壁に固定した軸部材を、前板に固定された取付部材と、それに対向配置した取付材とで挟持し、トレイの前壁に前板が取付けられたスライドラックは、キャビネットに組付ける際、前板の位置にズレを生じ、このズレの修正をするため、取付部材の長穴に挿通されたネジを緩めての左右方向への調整がされることになる。そして、軸部材の挟持を緩めての再度の挟持仕方次第で、前板のトレイの前壁に対する上下方向、又は水平面回り方向の調整がされる。所謂、三次元対応の位置調整ができ、このような点では好都合といえる。しかしながら、トレイの前壁に前板を取付け、キャビネットとの組付け調整がされるに当って、その取付けには微妙な微調整が往々に必要となり、トレイの前壁に固定された軸部材を、前板に固定された取付部材と、それに対向配置した取付材とで挟持する構成だけではこの取付けの微調整をすることが不可能であった。そして、取付部材の長穴に挿通されたネジを緩めての左右方向の調整、及び軸部材が取付部材と取付材とで挟持調整される構成では、大型化してしまい、揚句には、微調整できる取付けがしにくく、且つ取扱い良いコンパクトなものにはできなかった。【０００６】  そこで、トレイの前壁に、キャビネットとの組付け調整が仕易くできる前板を取り付けるに当って、その三次元の微取付調整を可能にし、しかも、取付け易く、且つ取扱い良い、シンプルにしてコンパクトな前板のトレイの前壁への取付構造を備えたスライドラックが得られるようにすることにある。
【課題を解決するための手段】
【０００７】  本発明のキャビネットに収納されるスライドラックは、キャビネット内のガイドレールに支えられたトレイと、該トレイの前壁に取付けられてキャビネットとの組付け調整をする前板とでなり、トレイの前壁と前板との間に台座が設けられ、トレイの前壁と前板とが、台座を介してネジによって取付けられ、該台座には、トレイの前壁に取付ける前板の左右方向取付調整をする左右調整カム、及びトレイの前壁に対する前板の上下方向取付調整をする上下調整カム、そして、トレイの前壁と接触している頭部のカム面によるトレイの前壁への押圧で、前板の前後方向取付調整をする前後調整カムが具備されているものである。【０００８】  本発明のキャビネットに収納されるスライドラックは、トレイの前壁と前板とが、台座を介してネジによって取付けられ、該台座には、縦長穴を形成し、該縦長穴に軸支するトレイの前壁に対する前板の左右方向取付調整がされる左右調整カムを備え、且つ台座の横側壁面に軸支するトレイの前壁に対する前板の上下方向取付調整がされる上下調整カム、及びトレイの前壁に対する前板の前後方向取付調整がされる前後調整カムを設け、トレイの前壁には、前板へ台座を介してネジ止めするネジが挿通され、前板の取付調整でネジの位置への遊び余裕を有する遊穴が形成され、また、左右調整カムを嵌込み、その左右調整カムの偏心突起部の回転によって台座を左右方向取付調整させるカムハウジング付き穴が形成され、また、上下調整カムの回転によってその爪部によるトレイの前壁への係合で台座の上下方向取付調整をする横溝が形成され、前後調整カムの頭部のカム面と接触する接触面が形成されるものである。【０００９】  本発明のキャビネットに収納されるスライドラックは、トレイの前壁と前板との間に、前板へ接合する台座を設け、トレイの前壁に形成された遊穴へネジを挿通し、台座と共に前板へネジ止めしてトレイの前壁と前板とが取付けられ、この台座の上端方のネジによる左右取付位置の中間には、縦長穴を形成し、この縦長穴に軸支するトレイの前壁に対する前板の左右方向取付調整をする左右調整カムが設けられ、台座の下端方には、トレイの前壁に対する前板の前後方向取付調整をする前後調整カムが軸支され、そして、これら中間部位には、トレイの前壁に対する前板の上下方向取付調整をする上下調整カムが軸支し備えられているものである。【００１０】  本発明のキャビネットに収納されるスライドラックは、前板とトレイの前壁とが、前板の取付調整で遊び余裕を有するトレイの前壁の遊穴に、ワッシャーを介してネジを挿通し、台座を介して前板へネジ止めして仮接合され、トレイの前壁に形成されたカムハウジング付き穴には、台座の縦長穴に軸支した左右調整カムが嵌込まれ、偏心突起部を有する左右調整カムの回転で、その偏心突起部が台座を左右へ揺動して、トレイの前壁に対する前板の左右方向取付調整がされ、トレイの前壁に設けた横溝には、該横溝と係合する爪部を頭部に形成する上下調整カムが台座の横側壁面の中程位置に軸支され、該上下調整カムの回転によって爪部による台座の揺動が、トレイの前壁に対する前板の上下方向取付調整をし、また、台座の横側壁面の下端方に前後調整カムが軸支され、該前後調整���ムがその頭部のカム面をトレイの前壁へ接触させ、該前後調整カムの回転による接触するトレイの前壁への押圧でトレイの前壁に対する前板の前後方向取付調整がされ、これら取付調整の上で、ネジを再度締付けして取付が定着されるものである。
【発明の効果】
【００１１】  本発明のスライドラックは、トレイの前壁と前板との間に台座を設け、該台座に左右調整カム、上下調整カム、そして前後調整カムが具備されることによって三次元の微取付調整をすることができ、左右調整カム、上下調整カム、及び前後調整カムの具備が台座である故に、軸支取付け仕易く、且つ取扱い良く、シンプルにしてコンパクトにできる。【００１２】  本発明のスライドラックは、トレイの前壁と前板との間に台座を設け、該台座には、左右方向取付調整をする左右調整カム、上下方向取付調整をする上下調整カム、そして前後方向取付調整をする前後調整カムがコンパクトに設けられ、これらの調整カムが台座に集められているので取付け微調整が迅速、且つ容易にし易く、形態もシンプルにして、取扱い易くできる。そして、意匠的にも優れている。【００１３】  本発明のスライドラックは、トレイの前壁と前板との間に台座を設け、該台座には、その上端方に、トレイの前壁に対する前板の左右方向取付調整をする左右調整カムが、台座の下端方に、トレイの前壁に対する前板の前後方向取付調整をする前後調整カムが、そしてこれら中間部位置には、トレイの前壁に対する前板の上下方向取付調整をする上下調整カムが軸支し備えられることによって、各々の微調整操作で取付けの調整機能を最大限に発揮することができ、取付けの微調整を確実に実施できる。しかも、各取付調整カムを台座に集めたのでシンプルにしてコンパクトにできる。【００１４】  本発明のスライドラックは、前板とトレイの前壁とが、台座を介してネジで取付けられ、仮接合されるので、この仮接合が取付調整の基準位置となって、左右方向、上下方向、及び前後方向と分けた取付調整がされることになり、取付調整を正確、且つ容易にできる。しかも、この基準位置をも簡単に、且つ容易に設定することができる。
ネジによる取付位置が基準位置とされているので、トレイの前壁に形成したカムハウジング付き穴には、台座の縦長穴に軸支した左右調整カムが嵌込まれ、偏心突起部を有する左右調整カムの回転で、その偏心突起部による台座の左右方向取付調整が容易にできる。
台座に軸支した上下調整カムが頭部に設けられた爪部と、トレイの前壁に形成された横溝とを係合し、該上下調整カムの回転によって爪部が台座を搖動し、前板の上下方向取付調整が、無理なく操作でき、簡単、且つ容易にできる。
また、台座に軸支された前後調整カムがその頭部のカム面をトレイの前壁へ接触し、前後調整カムの回転による接触するカム面のトレイの前壁への押圧で前後方向取付調整が容易にできる。
よって、三次元の微取付調整が取り扱い易く、シンプルにして精巧で、正確、且つ確実にできる。
【図面の簡単な説明】
【００１５】
【図１】  バスケットを備えたスライドラックの背面斜視図である。
【図２】  バスケットを備えたトレイが取付けられたスライドラックの前板の背面図である。
【図３】  前板を省いたスライドラックの組付け分解説明図、及びその左右、上下、前後調整カムの拡大説明図である。
【図４】  トレイの前壁における正面図である。
【図５】  スライドラックの側面図である。
【図６】  スライドラックのトレイの前壁に対する前板の取付調整される側面拡大図である。
【発明を実施するための形態】
【００１６】  本発明の実施の形態によるスライドラックは、図１乃至図２で示す如く、キャビネット内のガードレールに支えられたトレイ１とこれに吊下げられたバスケット３とが、キャビネットとの組付け調整をする前板２にタッピングネジ１１等により接合取付けられたものである。
【００１７】  スライドラックは、図３乃至図６で示す如く、トレイの前壁１０と前板２との間に、該前板に接合させる台座４が設けられ、トレイの前壁１０とが、台座４を介してネジ１１によって取付けられ、該台座には、縦長穴４１を形成し、該縦長穴に軸支するトレイの前壁１０に対する前板２の左右方向取付調整がされる左右調整カム５を備える。そして、台座４の横側壁面４２の中程位置には、軸穴が形成され、該軸穴に嵌込み軸支するトレイの前壁１０に対する前板２の上下方向取付調整がされる上下調整カム６を備え、台座４の横側壁面４２の下端方には、前後調整カム用の軸穴が形成され、該軸穴に嵌込み軸支するトレイの前壁１０に対する前板２の前後方向取付調整がされる前後調整カム７を備えている。
トレイの前壁１０には、ネジ１１による前板２との取付で、ネジ１１位置への取付調整のための遊び余裕を有する遊穴１２が形成され、該遊穴にネジ１１が挿通され、前板２へ台座４を介してネジ止めし、また、カムハウジング付き穴１３が形成され、台座４の縦長穴４１に軸支した左右調整カム５を嵌込み、該左右調整カム５を回転することによってその左右調整カム５の偏心突起部５１が搖動されて台座２を左右方向取付調整させる。そしてまた、トレイの前壁１０には、横溝１４が形成され、台座４に軸支された上下調整カム６の回転で、その爪部６１による横溝１４への係合で台座４の上下方向取付調整され、更に、前後調整カム７の頭部のカム面７１と接触する接触面１５を形成している。
【００１８】  トレイの前壁１０の上端方左右位置に形成された遊穴１２へネジ１１を挿通し、台座４と共に前板２へネジ止めしてトレイの前壁１０と前板２とが取付けられて仮接合されるこの台座４のネジ１１による取付位置の中間には、縦長穴４１を形成し、この縦長穴４１に軸支する左右調整カム５が設けられ、該左右調整カムをトレイの前壁１０に形成されたカムハウジング付き穴１３へ嵌込み、この左右調整カム５の回転でその偏心突起部５１がカムハウジング付き穴１３の溝部１３１に係合して搖動され、ネジ１１による仮取付位置を基準位置として台座４を左右方向取付調整することになる。
トレイの前壁１０には、並行するリブ１４１等によって形成される横溝１４を設け、該横溝と係合する爪部６１を頭部に形成する上下調整カム６が台座４の横側壁面４２の中程位置に軸支され、該上下調整カムの回転によるその爪部６１によっての台座４の搖動がネジ１１の仮取付位置を基準位置としたトレイの前壁１０に対する前板２の上下方向取付調整がされることになる。
また、台座４の横側壁面４２の下端方には、前後調整カム７を軸支し、該前後調整カムがその頭部のカム面７１をトレイの前壁１０へ接触させ、該前後調整カムの回転による接触するカム面７１のトレイの前壁１０への押圧で、ネジ１１の仮取付位置を基準位置としたトレイの前壁１０に対する前板２の前後方向取付調整がされる。
【００１９】  左右調整カム５は、台座４の縦長穴４１に軸支させるピポット軸５２と、トレイの前壁１０のカムハウジング付き穴１３に嵌込みトレイの前壁の背面へ顕出軸支される主軸５３とを有し、該主軸には、偏心突起部５１を設けてなる。
トレイの前壁の背面へ顕出軸支される主軸５３の頂面には溝５４が刻設され、ドライバー等による操作で左右調整カム５が回転され、それに設けられているカムハウジング付き穴１３の溝部１３１に係合の偏心突起部５１によって、台座４が搖動され、該台座に接合する前板２の左右方向取付調整がされる。
上下調整カム６は、台座４の横側壁面４２の中程位置に形成された軸穴に軸支するスナップ軸６２を有し、その頭部６３には、トレイの前壁１０に設けられた横溝１４に係合する爪部６１を備えている。
台座４の横側壁面４２にスナップ軸６２を軸支した上下調整カム６がその頭部６３の頂面に刻設された溝６４などへドライバー等を係合して回転されることによって、トレイの前壁１０の横溝１４に係合する爪部６１が搖動されて、トレイの前壁１０に対する前板２の上下方向取付調整ができることになる。
前後調整カム７は、台座４の横側壁面４２の下端方に形成された軸穴に軸支するスナップ軸７２を有し、その頭部７３にはトレイの前壁１０の接触面１５に接触するカム面７１を形成してなる。
前後調整カム７が、その頭部７３の頂面に刻設された溝７４にドライバー等を係合して回転されるとカム面７１が接触しているトレイの前壁１０の接触面１５を押圧して、トレイの前壁１０に対する前板２の前後方向取付調整がされる。
【００２０】  台座４に、左右調整カム５、上下調整カム６、及び前後調整カム７を軸支し、その上で、左右調整カム５をトレイの前壁１０のカムハウジング付き穴１３に嵌込み軸支し、上下調整カム６の爪部６１をトレイの前壁１０の横溝１４に係合し、そして、前後調整カム７のカム面７１をトレイの前壁１０の接触面１５に接触させ、台座４を取付けたトレイの前壁１０と、前板２とが、トレイの前壁１０の遊穴１２へワッシャーを介してネジ１１挿通して、台座４と共に前板２へネジ止めされることによって取付けられる。
この取付けは、仮のものであって、取付調整の基準位置が設定されるものである。
そこで、台座４に軸支された左右調整カム５をトレイの前壁１０背面からドライバー等によって回転させ、トレイの前壁１０に対する前板２の左右方向取付調整がされ、また、台座４に軸支された上下調整カム６及び前後調整カム７を台座４側面からドライバー等によって回転させ、トレイの前壁１０に対する前板２の上下方向、及び前後方向取付調整がされる。そして、これら取付調整で生じるズレは、トレイの前壁１０の遊穴１２、及び台座４の縦長穴４１で吸収されることになる。
取付調整がされた後には、ネジ１１を再度締付けて取付が定着される。
よって、トレイの前壁１０と前板２との間に、左右調整カム５、上下調整カム６、及び前後調整カム７を軸支した台座４が介入されたスライドラックは、単なるネジ１１による仮取付けで取付調整の基準位置を設定することが、簡単、且つ容易に、しかも迅速にでき、また、取付調整が、左右方向、上下方向、及び前後方向と分別されることによって、この取付調整操作が単純な構成で、簡単且つ容易に、しかも迅速に、且つ微調整をも正確にできることになる。
【符号の説明】
【００２１】１        トレイ
１０      トレイの前壁
１１      ネジ
１２      遊穴
１３      カムハウジング付き穴
１３１    溝部
１４      横溝
１４１    リブ
１５      接触面
２        前板
３        バスケット
４        台座
４１      縦長穴
４２      横側壁面
５        左右調整カム
５１      偏心突起部
５２      ピッポト軸
５３      主軸
５４      溝
６        上下調整カム
６１      爪部
６２      スナップ軸
６３      頭部
６４      溝
７        前後調整カム
７１      カム面
７２      スナップ軸
７３      頭部
７４      溝
【図１】
2011056229.tif 000003
【図２】
2011056229.tif 000004
【図３】
2011056229.tif 000005
【図４】
2011056229.tif 000006
【図５】
2011056229.tif 000007
【図６】
2011056229.tif 000008